(57)【特許請求の範囲】
【請求項１】
キー穴６を遮蔽することができるように錠ボデー１の底壁にスライドロック板１２を摺動可能に設け、このスライドロック板の内壁面にはタンブラー溝１２を形成し、一方、スライドロック板の外壁面には、合鍵１６の摘み部１６ａに設けた合鍵位置決め用の係合部１７と係合する被係合部１８を形成し、前記錠ボデーにはバネ部材２２で常に一方向へ付勢され、かつ、前記タンブラー溝と係合すると共に前記摘み部１６ａに設けた磁性体の極性に対応してスライドロック板のロックを解除する方向へ移動する磁石ピンタンブラー２０を組み込み、解錠時、前記摘み部１６ａをスライドロック板１２の外壁面に合わせるようにして前記係合部１７を被係合部１８に係合させ、かつ、両者の係合状態を維持しながら合鍵１６を介してスライドロック板１２を錠ボデー１の外方向へ所要量水平移動させることを特徴とする南京錠。
【請求項２】
錠ボデー１Ａのキー穴６Ａを有しない一側壁にスライドロック板１２Ａを設け、このスライドロック板の内壁面にはタンブラー溝１５Ａを形成し、一方、スライドロック板の外壁面には合鍵１６Ａの摘み部１６ａに設けた合鍵位置決め用の係合部１７Ａと係合する被係合部１８Ａを形成し、前記錠ボデーにはバネ部材２２Ａに付勢されながら前記タンブラー溝と係合すると共に前記摘み部１６ａに設けた磁性体２１Ａの極性に対応してスライドロック板のロックを解除する方向へ移動する磁石ピンタンブラー２０Ａを組み込み、また錠ボデー１Ａの底壁には、キー穴を遮蔽し、かつ、施錠時に外端部が前記スライドロック板にロックされる開閉板３１を摺動可能に設け、解錠時、前記摘み部１６ａをスライドロック板１２Ａの外壁面に合わせるようにして前記係合部１７Ａを被係合部１８Ａに係合させ、かつ、両者の係合状態を維持しながら合鍵１６Ａを介してスライドロック板１２Ａを錠ボデー１Ａの外方向へ所要量水平移動させることを特徴とする南京錠。
【発明の詳細な説明】
【０００１】
【産業上の利用分野】
本発明は南京錠に関する。
【０００２】
【従来の技術】
従来、南京錠は、一般に箱型の錠ボデーと、この錠ボデーに突出状態に設けられた逆Ｕ字状の施錠用フックとから成り、前記錠ボデーの底壁には回動体のキー穴（キー溝）が現れている。
【０００３】
したがって、この種の南京錠は、露呈するキー孔を利用して容易に悪戯あるいは不正解錠される危険性があった。そこで、現在、南京錠が不正に解錠されない工夫が要望されている。
【０００４】
【発明が解決しようとする課題】
本発明は以上のような従来の要望点に鑑み、まず南京錠が容易に不正解錠されることを防止でき、次に南京錠のキー穴を直接的または間接的に遮蔽するスライドロック板を容易に解除状態にし、かつ、簡単にスライドさせることができる南京錠を得ることである。
【０００５】
【課題を解決するための手段】
本発明の南京錠は、キー穴６を遮蔽することができるように錠ボデー１の底壁にスライドロック板１２を摺動可能に設け、このスライドロック板の内壁面にはタンブラー溝１２を形成し、一方、スライドロック板の外壁面には、合鍵１６の摘み部１６ａに設けた合鍵位置決め用の係合部１７と係合する被係合部１８を形成し、前記錠ボデーにはバネ部材２２で常に一方向へ付勢され、かつ、前記タンブラー溝と係合すると共に前記摘み部１６ａに設けた磁性体の極性に対応してスライドロック板のロックを解除する方向へ移動する磁石ピンタンブラー２０を組み込み、解錠時、前記摘み部１６ａをスライドロック板１２の外壁面に合わせるようにして前記係合部１７を被係合部１８に係合させ、かつ、両者の係合状態を維持しながら合鍵１６を介してスライドロック板１２を錠ボデー１の外方向へ所要量水平移動させることを特徴とする。
【０００６】
また本発明の南京錠は、錠ボデー１Ａのキー穴６Ａを有しない一側壁にスライドロック板１２Ａを設け、このスライドロック板の内壁面にはタンブラー溝１５Ａを形成し、一方、スライドロック板の外壁面には合鍵１６Ａの摘み部１６ａに設けた合鍵位置決め用の係合部１７Ａと係合する被係合部１８Ａを形成し、前記錠ボデーにはバネ部材２２Ａに付勢されながら前記タンブラー溝と係合すると共に前記摘み部１６ａに設けた磁性体２１Ａの極性に対応してスライドロック板のロックを解除する方向へ移動する磁石ピンタンブラー２０Ａを組み込み、また錠ボデー１Ａの底壁には、キー穴を遮蔽し、かつ、施錠時に外端部が前記スライドロック板にロックされる開閉板３１を摺動可能に設け、解錠時、前記摘み部１６ａをスライドロック板１２Ａの外壁面に合わせるようにして前記係合部１７Ａを被係合部１８Ａに係合させ、かつ、両者の係合状態を維持しながら合鍵１６Ａを介してスライドロック板１２Ａを錠ボデー１Ａの外方向へ所要量水平移動させることを特徴とする。
【０００７】
【作用】
合鍵の合鍵部をキー穴に挿入する時、まず合鍵の摘み部をスライドロック板の外壁面に合わせるようにし、合鍵の係合部をスライドロック板の被係合部に係合させる。係合部を被係合部に係合させると、位置決めが図られると同時に、各磁石ピンタンブラーは合鍵の各磁性体の極性にそれぞれ対応し、スライドロック板のロックを解除する方向へ反発移動する。そこで、そのまま両者の係合状態を維持しながら合鍵を介してスライドロック板を外方向へ所要量移動させる。そうすると、第１実施例に於いては回動体のキー穴が直ちに現れる。第２実施例に於いては、スライドロック板から開放された開閉体をさらに外方向にスライドさせる。次にキー穴が現れたならば、合鍵をスライドロック板から外し、その合鍵部をキー穴に差し込み、回動体を解錠方向に回転する。その結果、施錠用フックは解錠状態となる。
【０００８】
一方、施錠用フックを錠ボデーに施錠し、回動体のキー穴を遮蔽しようとする時は、第１実施例に於いてはスライドロック板の外端部を押し込む。また第２実施例に於いては、開閉板を親指で押し込んだ後、スライドロック板の外端部を押し込む。そうすると、スライドロック板または開閉板は、キー穴を閉じる。
【０００９】
【実施例】
以下、図面に示す実施例により本発明を詳細に説明する。
【００１０】
図１ないし図６に示す第１実施例に於いて、Ｘは、箱型の錠ボデー１と、この錠ボデーに突出状態に設けられた逆Ｕ字状の施錠用フック２とから成る南京錠である。施錠用フック２は、その基部２ａが施錠部２ｂより長寸に形成されている。
【００１１】
しかして、基部２ａは錠ボデー１に設けた嵌合孔に嵌入し、かつ、フック用バネ部材３により突出方向に付勢されている。そして、基部２ａはその段差部に形成された凹所と係合するフック抜止めピン４により係止されている。
【００１２】
一方、施錠部２ｂは錠ボデー１の他方のフック穴にロック状態に嵌合するように設けられ、内側に係合溝が形成されている。
【００１３】
５は錠ボデー１の中心部に設けられた内筒あるいは円柱状の回動体で、この回動体にはキー穴（キー溝）６が形成されている。
【００１４】
しかして、回動体５には複数個のピンタンブラー７が、また錠ボデー１には前記ピンタンブラー７と対向する複数個のピンタンブラー８がそれぞれ組み込まれ、これらのピンタンブラー７、８はタンブラー用バネ部材９で一方向に付勢されている。また、回動体５の上端部には突起部５ａが形成されている。
【００１５】
１０は錠ボデー１の上部側に内装され、かつ、カム用バネ１１により施錠用フックの施錠部２ｂと係合する方向に常時付勢されたカム係合体である。このカム係合体１０の適宜箇所には回動体５の突起部５ａと係合する切欠部１０ａが形成され、カム係合体１０は回動体５と解錠方向に連動するように係合している。
【００１６】
次に１２は回動体５のキー穴６を遮蔽することができるように錠ボデー１の側壁（底壁）に設けられたスライドロック板である。このスライドロック板１２は底壁１３に形成されたＵ字状のガイド溝１４に摺動可能に案内される。
【００１７】
しかして、このスライドロック板１２の内壁面には複数個のタンブラー溝１５が形成され、一方、スライドロック板１２の外壁面には図１で示す合鍵１６の係合部１７と係合する被係合部１８が形成されている。前記合鍵１６の係合部１７は、本実施例では、少なくとも一つは位置決め用の係合突起であり、摘み部１６ａの一側壁の前後にそれぞれ合計２個形成されている。したがって、これらの係合部１７と対応して係合するスライドロック板１２の被係合部１８は、複数個の凹所である。
【００１８】
次に２０はバネ部材２２で一方向へ付勢された状態で錠ボデー１に組み込まれ、かつ、スライドロック板のタンブラー溝１５と常に係合する複数個の磁石ピンタンブラーである。これらの磁石ピンタンブラー２０は、前記合鍵１６の摘み部１６ａに埋設した複数個の磁性体２１の極性に対応し、スライドロック板１２のロックを解除する方向へ反発移動する。
【００１９】
上記構成に於いて、合鍵１６の合鍵部１６ｂを回動体５のキー穴６に挿入する解錠時は、まず合鍵１６の摘み部１６ａをスライドロック板１２の外壁面に合わせるようにし、合鍵１６の合鍵位置決め用係合部１７をスライドロック板１２の被係合部１８に係合させる。係合部１７を被係合部１８に係合させると、位置決めが図られると同時に、各磁石ピンタンブラー２０は合鍵１６の各磁性体２１の極性にそれぞれ対応し、スライドロック板１２のロックを解除する方向へ反発移動する。そこで、そのまま両者の係合状態を維持しながら合鍵１６を介してスライドロック板１２を錠ボデー１の外方向へ所要量水平移動させる。そうすると、回動体５のキー穴６が現れる。
【００２０】
次にキー穴６が現れたならば、合鍵１６をスライドロック板１２から外し、その合鍵部１６ｂを回動体５のキー穴６に差し込み、回動体５を解錠方向に回転する。その結果、施錠用フック２は、図５で示すように解錠状態となる。
【００２１】
一方、施錠用フック２を錠ボデー１に施錠し、回動体５のキー穴６を遮蔽しようとする時は、スライドロック板１２の外端部を押し込む。そうすると、スライドロック板１２は底壁１３のガイド溝１４に案内されながら摺動し、キー穴６を閉じると同時に、各磁石ピンタンブラー２０はバネ部材２２のバネ力により復帰し、スライドロック板の各タンブラー溝１５と係合する。その結果、スライドロック板１２はキー穴６を塞いだ状態で各磁石ピンタンブラー２０によりロックされる。
【００２２】
次に図７ないし図１２に示す第２実施例について説明する。なお、この実施例の南京錠Ｘ１は、錠ボデー１Ａと、この錠ボデーに突出状態に設けられた逆Ｕ字状の施錠用フック２Ａとから成り、基本的な構成は第１実施例と同一なので、同一の部分には同一の符号を付し、重複する説明を省略する。そこで、主に異なる点につき説明する。
【００２３】
しかして、この南京錠Ｘ１は、錠ボデー１Ａのキー穴６Ａを有しない一側壁３０に第２のガイド溝３２に案内されるスライドロック板１２Ａを設け、このスライドロック板１２Ａの内壁面にはタンブラー溝１５Ａを形成し、一方、スライドロック板１２Ａの外壁面には合鍵１６Ａの突起状係合部１７Ａと係合する凹所状被係合部１８Ａを形成し、前記錠ボデー１Ａにはバネ部材２２Ａに付勢されながら前記タンブラー溝１５Ａと係合し、かつ、前記合鍵１６Ａに埋設した複数個の磁性体２１Ａの極性に対応してスライドロック板１２Ａのロックを解除する方向へ反発移動する複数個の磁石ピンタンブラー２０Ａを組み込み、また錠ボデー１Ａの前記一側壁３０と直交するキー穴６Ａが位置する他側壁（底壁）には、キー穴６Ａを遮蔽し、かつ、施錠的外端部が前記スライドロック板１２Ａにロックされる開閉板３１が摺動可能に設けられている。
【００２４】
なお、この実施例に於いては、突起状係合部１７Ａが摘み部１６Ａの周壁面の適宜箇所に設けられているが、これは合鍵１６Ａをスライドロック板１２Ａに合わせ、突起状係合部１７Ａを凹所状被係合部１８Ａに係合させた時、合鍵１６Ａを持ち易しい点を考慮したからである。したがって、合鍵１６Ａの位置決めが可能で、かつ、スライドロック板１２Ａの引き出しが可能であれば突起状係合部１８Ａを適当な箇所に設けても良い。
【００２５】
上記構成に於いて、合鍵１６Ａの合鍵部１６ｂを回動体５のキー穴６Ａに挿入する解錠時は、まず合鍵１６Ａの摘み部１６ａの周壁部をスライドロック板１２Ａの外壁面に合わせるようにし、合鍵１６Ａの合鍵位置決め用係合部１７Ａをスライドロック板１２Ａの被係合部１８Ａに係合させる。係合部１７Ａを被係合部１８Ａに係合させると、位置決めが図られると同時に、各磁石ピンタンブラー２０Ａは合鍵１６Ａの各磁性体２１Ａの極性にそれぞれ対応し、スライドロック板１２Ａのロックを解除する方向へ反発移動する。そこで、そのまま両者の係合状態を維持しながら合鍵１６Ａを介してスライドロック板１２Ａを外方向へ多少移動させる。これにより開閉板３１はスライドロック板１２Ａから開放される。そこで、開閉板３１を外方向に親指でスライド移動させる。そうすると、回動体５のキー穴６Ａが現れる。
【００２６】
次にキー穴６Ａが現れたならば、合鍵１６Ａをスライドロック板１２Ａから外し、その合鍵部１６ｂを回動体５のキー穴６Ａに差し込み、回動体５を解錠方向に回転する。その結果、施錠用フック２Ａは、図１１で示すように解錠状態となる。
【００２７】
一方、施錠用フック２Ａを錠ボデー１Ａに施錠し、回動体５のキー穴６Ａを遮蔽しようとする時は、まず開閉板３１の外端部を押し込む。そうすると、開閉板３１は底壁１３Ａのガイド溝１４Ａに案内されながら摺動し、キー穴６Ａを閉じる。次にスライドロック板１２Ａの外端部を押し込む。そうすると、スライドロック板１２Ａは一側壁３０の第２のガイド溝３２に案内されながら摺動し、各磁石ピンタンブラー２０Ａはバネ部材２２Ａのバネ力により復帰し、スライドロック板の各タンブラー溝１５Ａと係合する。その結果、スライドロック板１２Ａは開閉板３１を介してキー穴６Ａを塞いだ状態で各磁石ピンタンブラー２０Ａによりロックされる。この時スライドロック板１２Ａは開閉板３１をストッパーする。
【００２８】
【発明の効果】
以上の説明から明らかなように、本発明に於いては次に列挙するような効果がある。
（１）南京錠のキー穴を直接的に遮蔽する、または開閉板を介して間接的に遮蔽するスライドロック板が錠ボデーの側壁に設けられているので、露呈するキー孔を利用して容易に悪戯あるいは不正解錠される危険性がない。
（２）スライドロック板のロック状態を解除する時は、合鍵の摘み部をスライドロック板の外壁面に合わせるようにし、合鍵の係合部をスライドロック板の被係合部に係合させると、位置決めが図られると同時に、各磁石ピンタンブラーは合鍵の各磁性体の極性にそれぞれ対応し、スライドロック板のロックを解除する方向へ反発移動する。したがって、南京錠のキー穴を直接的または間接的に遮蔽するスライドロック板を容易に解除状態にし、かつ、簡単にスライドさせることができる。
【図面の簡単な説明】
【図１】図１ないし図６は本発明の第１実施例を示す各概略説明図である。そこで、図１は全体の説明図である。
【図２】本発明の南京錠の正面図である。
【図３】本発明の南京錠の右側面図である。
【図４】本発明の南京錠の底面図である。
【図５】本発明の解錠状態を示す概略説明図である。
【図６】本発明の南京錠の施錠用フックが施錠状態である場合に於いて、スイライドロック板と合鍵との関係を示す概略説明図である。
【図７】図７ないし図１２は本発明の第２実施例を示す各概略説明図である。そこで、図７は全体の説明図である。
【図８】本発明の南京錠の正面図である。
【図９】本発明の南京錠の右側面図である。
【図１０】本発明の南京錠の底面図である。
【図１１】本発明の解錠状態を示す概略説明図である。
【図１２】本発明の南京錠の施錠用フックが施錠状態である場合に於いて、スイライドロック板と合鍵との関係を示す概略説明図である。
【符号の説明】
Ｘ、Ｘ１…南京錠、１、１Ａ…錠ボデー、２、２Ａ…施錠用フック、５…回動体、６、６Ａ…キー穴、１２、１２Ａ…スライドロック板、１５、１５Ａ…タンブラー溝、１６、１６Ａ…合鍵、１７、１７Ａ…係合部、８、１８Ａ…被係合部、２０、２０Ａ…磁石ピンタンブラー、２１、２１Ａ…磁性体、２２、２２Ａ…バネ部材、３０…一側壁、３１…開閉板。
【図１】
0003548893.tif 000002
【図２】
0003548893.tif 000003
【図３】
0003548893.tif 000004
【図４】
0003548893.tif 000005
【図５】
0003548893.tif 000006
【図６】
0003548893.tif 000007
【図７】
0003548893.tif 000008
【図８】
0003548893.tif 000009
【図９】
0003548893.tif 000010
【図１０】
0003548893.tif 000011
【図１１】
0003548893.tif 000012
【図１２】
0003548893.tif 000013